【誤訳訂正書】
【提出日】平成18年2月2日(2006.2.2)
【誤訳訂正１】
【訂正対象書類名】明細書
【訂正対象項目名】特許請求の範囲
【訂正方法】変更
【訂正の内容】
【特許請求の範囲】
【請求項１】
コミュニケ通信サービスを複数のセルサイトを含むセルラー通信ネットワークを介して加入者に提供するコミュニケシステムであり、当該加入者の各々はワイヤレス加入者デバイスを装備しており、当該複数のセルサイトの各々は複数のワイヤレス通信チャネルをセルサイトの送信アンテナの周囲の所定の空間量をカバーするセルにおいて提供する、コミュニケシステムであって、
複数の加入者の各々に関する加入者情報を格納する手段と、
該複数のセルの少なくとも一つについて、加入者を識別する手段であって、当該加入者のワイヤレス加入者デバイスは、該セルラー通信ネットワークの１つのセルにおいてアクティブである手段と、
複数の加入者を識別するデータを該識別された加入者に関する該格納された加入者情報の関数として自動的に生成する手段であって、該複数の加入者は少なくとも一つの加入者コミュニティを形成する手段と、
コミュニケ通信サービスを該少なくとも一つの加入者コミュニティの一員である加入者に提供するために、該複数のセルのうちの少なくとも一つを選択する手段と、
選択されたプログラムソースから送信用に該複数のセルのうちの該選択された少なくとも一つに関連付けられた複数のセルサイトへの該コミュニケ通信サービスを構成する情報を、該複数のワイヤレス通信チャネルの一つを介して、該複数のセルのうちの該選択された少なくとも一つにおいて存在する該識別された加入者のうちの一部のワイヤレス加入者デバイスへルーティングする手段と、
を備えるコミュニケシステム。
【請求項２】
該格納する手段は、
加入者の許可、加入者のサービスプラン、及び加入者プロファイルのうちの少なくとも一つを格納するコミュニケ位置レジスタ手段、
を備える、請求項１記載のコミュニケシステム。
【請求項３】
該自動的に生成する手段は、
該複数のセルの各々において該コミュニケ通信サービスに興味を有する加入者を示すデータを生成するために、該識別された加入者を、選択されたプログラムソースからの該コミュニケ通信サービスを示すプログラムデータと相関させる手段、
を備える、請求項１記載のコミュニケシステム。
【請求項４】
該選択する手段は、
該コミュニケ通信サービスの空間的時間的コンテンツを、該セルラー通信ネットワークのナロウキャスト領域又はセルに入る及び出て行く該識別された加入者の数、該セルラー通信ネットワークのナロウキャスト領域又はセルにおいてアクティブな加入者の数、該セルラー通信ネットワークのナロウキャスト領域又はセルにおいてアクティブな該識別された加入者によって要求されるサービス、該セルラー通信ネットワークにおいてアクティブな加入者の密度うちの少なくとも一つの関数として管理する手段、
を備える、請求項３記載のコミュニケシステム。
【請求項５】
該選択する手段は、
コミュニケ通信サービスを該少なくとも一つの加入者コミュニティの一員である加入者に提供するために、該複数のセルのうちの少なくとも一つの選択を動的に修正する手段、
を備える、請求項１記載のコミュニケシステム。
【請求項６】
該選択する手段は、
イベントの発生に応答して、該コミュニケ通信サービスの時間的及び空間的な範囲を識別する手段と、
該識別された時間的及び空間的な範囲を該複数のセルのセットに変換する手段、
を備える、請求項１記載のコミュニケシステム。
【請求項７】
該複数のセルのうちの該選択された少なくとも一つに存在する該識別された加入者の一部の該複数のワイヤレス加入者デバイスの各々が、該情報を該複数のワイヤレス通信チャネルのうちの該一つを介して受信することを可能にする手段、
を更に備える、請求項１記載のコミュニケシステム。
【請求項８】
該可能にする手段は、
該複数のセルサイトが該複数のワイヤレス加入者デバイスの各々を該複数のワイヤレス加入者デバイスの各々に関するユニークなアイデンティティを必要とすることなく認識できるように、該複数のワイヤレス加入者デバイスの各々を該複数のワイヤレス加入者デバイスに割当てられたコミュニケアドレスを介して識別する手段、
を備える、請求項７記載のコミュニケシステム。
【請求項９】
該識別する手段は、
該複数のセルサイトが該複数のワイヤレス加入者デバイスの各々を該複数のワイヤレス加入者デバイスの各々に関するユニークなアイデンティティを必要とすることなく認識できるように、該複数のワイヤレス加入者デバイスに割当てられた該コミュニケアドレスとして共通のＭＩＮを割当てる手段
を備える、請求項８記載のコミュニケシステム。
【請求項１０】
該可能にする手段は、
該複数のワイヤレス加入者デバイスのうちの少なくとも一つを、該少なくとも一つのワイヤレス加入者デバイスをユニークに識別するために登録する手段と、
加入者選択コミュニケを受信するために、該少なくとも一つのワイヤレス加入者デバイスを許可する手段、
を備える、請求項７記載のコミュニケシステム。
【請求項１１】
該ルーティングする手段は、
プッシュ、プル、及びプッシュ／プル情報配信モードの組合せを含む情報配信モードのクラスから選択される少なくとも１つの情報配信モードにおいて動作する、請求項１記載のコミュニケシステム。
【請求項１２】
該選択する手段は、
該コンテンツドメインにおいてナロウキャストの時間的及び空間的な範囲を作成する手段、
を備える、請求項１記載のコミュニケシステム。
【請求項１３】
該時間的及び空間的な範囲を作成する手段は、
該複数のセルサイトのうちの少なくとも一つのプログラムストリームから引用される複数のコミュニケ用の複数のプログラムセグメントを定義する手段、
を備える、請求項１２記載のコミュニケシステム。
【請求項１４】
該複数のセルサイトのうちの該選択された少なくとも一つによってサービスされる該複数のワイヤレス加入者デバイスにプログラムストリームを送信する手段と、
該プログラムストリームから引用される少なくとも一つのコミュニケを定義するために、該複数のセルサイトのうちの該選択された少なくとも一つによってサービスされる該複数のワイヤレス加入者デバイスに、プログラムストリーム構文解析制御信号を送信する制御信号手段、
を更に備える、請求項１３記載のコミュニケシステム。
【請求項１５】
プログラムストリームを複数のセルサイトに送信する手段と、
該複数のセルサイトのうちの該少なくとも一つのプログラムストリームから引用される少なくとも一つのコミュニケを定義するために、プログラムストリーム構文解析制御信号を該複数のセルサイトのうちの該少なくとも一つに送信する手段、
を更に備える、請求項１４記載のコミュニケシステム。
【請求項１６】
該複数のセルサイトに位置し、該受信されたプログラムストリームと該プログラムストリーム構文解析制御信号から複数のコミュニケを生成する手段と、
該複数のコミュニケを、該複数のセルサイトのうちの該選択された少なくとも一つによってサービスされる該複数のワイヤレス加入者デバイスに送信する手段、
を更に備える、請求項１５記載のコミュニケシステム。
【請求項１７】
コミュニケ通信サービスを複数のセルサイトを含むセルラー通信ネットワークを介して加入者に提供するコミュニケシステムを動作させる方法であり、当該加入者の各々はワイヤレス加入者デバイスを装備しており、当該複数のセルサイトの各々は複数のワイヤレス通信チャネルをセルサイトの送信アンテナの周囲の所定の空間量をカバーするセルにおいて提供する方法であって、
複数の加入者の各々に関する加入者情報を格納し、
該複数のセルの少なくとも一つについて、加入者を識別し、当該加入者のワイヤレス加入者デバイスは、該セルラー通信ネットワークの１つのセルにおいてアクティブであり、
複数の加入者を識別するデータを該識別された加入者に関する該格納された加入者情報の関数として自動的に生成し、該複数の加入者は少なくとも一つの加入者コミュニティを形成し、
コミュニケ通信サービスを該少なくとも一つの加入者コミュニティの一員である加入者に提供するために、該複数のセルのうちの少なくとも一つを選択し、
選択されたプログラムソースから送信用に該複数のセルのうちの該選択された少なくとも一つに関連付けられた複数のセルサイトへの該コミュニケ通信サービスを構成する情報を、該複数のワイヤレス通信チャネルの一つを介して、該複数のセルのうちの該選択された少なくとも一つにおいて存在する該識別された加入者のうちの一部のワイヤレス加入者デバイスへルーティングする、
ステップを備える方法。
【請求項１８】
該格納するステップは、
加入者の許可、加入者のサービスプラン、及び加入者プロファイルのうちの少なくとも一つを格納するコミュニケ位置レジスタ手段、
を備える、請求項１７記載のコミュニケシステムを動作させる方法。
【請求項１９】
該自動的に生成する手段は、
該複数のセルの各々において該コミュニケ通信サービスに興味を有する加入者を示すデータを生成するために、該識別された加入者を、選択されたプログラムソースからの該コミュニケ通信サービスを示すプログラムデータと相関させる手段、
を備える、請求項１７記載のコミュニケシステムを動作させる方法。
【請求項２０】
該選択するステップは、
該コミュニケ通信サービスの空間的時間的コンテンツを、該セルラー通信ネットワークのナロウキャスト領域又はセルに入る及び出て行く該識別された加入者の数、該セルラー通信ネットワークのナロウキャスト領域又はセルにおいてアクティブな加入者の数、該セルラー通信ネットワークのナロウキャスト領域又はセルにおいてアクティブな該識別された加入者によって要求されるサービス、該セルラー通信ネットワークにおいてアクティブな加入者の密度うちの少なくとも一つの関数として管理すること、
を備える、請求項１９記載のコミュニケシステムを動作させる方法。
【請求項２１】
該選択するステップは、
コミュニケ通信サービスを該少なくとも一つの加入者コミュニティの一員である加入者に提供するために、該複数のセルのうちの少なくとも一つの選択を動的に修正すること、
を備える、請求項１７記載のコミュニケシステムを動作させる方法。
【請求項２２】
該選択するステップは、
イベントの発生に応答して、該コミュニケ通信サービスの時間的及び空間的な範囲を識別し、
該識別された時間的及び空間的な範囲を該複数のセルのセットに変換すること、
を備える、請求項１７記載のコミュニケシステムを動作させる方法。
【請求項２３】
該複数のセルのうちの該選択された少なくとも一つに存在する該識別された加入者の一部の該複数のワイヤレス加入者デバイスの各々が、該情報を該複数のワイヤレス通信チャネルのうちの該一つを介して受信することを可能にするステップ、
を更に備える、請求項１７記載のコミュニケシステムを動作させる方法。
【請求項２４】
該可能にするステップは、
該複数のセルサイトが該複数のワイヤレス加入者デバイスの各々を該複数のワイヤレス加入者デバイスの各々に関するユニークなアイデンティティを必要とすることなく認識できるように、該複数のワイヤレス加入者デバイスの各々を該複数のワイヤレス加入者デバイスに割当てられたコミュニケアドレスを介して識別すること、
を備える、請求項２３記載のコミュニケシステムを動作させる方法。
【請求項２５】
該識別するステップは、
該複数のセルサイトが該複数のワイヤレス加入者デバイスの各々を該複数のワイヤレス加入者デバイスの各々に関するユニークなアイデンティティを必要とすることなく認識できるように、該複数のワイヤレス加入者デバイスに割当てられた該コミュニケアドレスとして共通のＭＩＮを割当てること、
を備える、請求項２４記載のコミュニケシステムを動作させる方法。
【請求項２６】
該可能にするステップは、
該複数のワイヤレス加入者デバイスのうちの少なくとも一つを、該少なくとも一つのワイヤレス加入者デバイスをユニークに識別するために登録し、
加入者選択コミュニケを受信するために、該少なくとも一つのワイヤレス加入者デバイスを許可すること、
を備える、請求項２３記載のコミュニケシステムを動作させる方法。
【請求項２７】
該ルーティングするステップは、プッシュ、プル、及びプッシュ／プル情報配信モードの組合せを含む情報配信モードのクラスから選択される少なくとも１つの情報配信モードにおいて動作する、請求項１７記載のコミュニケシステムを動作させる方法。
【請求項２８】
該選択するステップは、
該コンテンツドメインにおいてナロウキャストの時間的及び空間的な範囲を作成すること
を備える、請求項１７記載のコミュニケシステムを動作させる方法。
【請求項２９】
該時間的及び空間的な範囲を作成するステップは、
該複数のセルサイトのうちの少なくとも一つのプログラムストリームから引用される複数のコミュニケ用の複数のプログラムセグメントを定義すること、
を備える、請求項２８記載のコミュニケシステムを動作させる方法。
【請求項３０】
該複数のセルサイトのうちの該選択された少なくとも一つによってサービスされる該複数のワイヤレス加入者デバイスにプログラムストリームを送信し、
該プログラムストリームから引用される少なくとも一つのコミュニケを定義するために、該複数のセルサイトのうちの該選択された少なくとも一つによってサービスされる該複数のワイヤレス加入者デバイスに、プログラムストリーム構文解析制御信号を送信すること、
を更に備える、請求項２９記載のコミュニケシステムを動作させる方法。
【請求項３１】
プログラムストリームを複数のセルサイトに送信し、
該複数のセルサイトのうちの該少なくとも一つのプログラムストリームから引用される少なくとも一つのコミュニケを定義するために、プログラムストリーム構文解析制御信号を該複数のセルサイトのうちの該少なくとも一つに送信すること、
を更に備える、請求項３０記載のコミュニケシステムを動作させる方法。
【請求項３２】
該複数のセルサイトにおいて、該受信されたプログラムストリームと該プログラムストリーム構文解析制御信号から複数のコミュニケを生成し、
該複数のコミュニケを、該複数のセルサイトのうちの該選択された少なくとも一つによってサービスされる該複数のワイヤレス加入者デバイスに送信する
ステップを更に備える、請求項３１記載のコミュニケシステムを動作させる方法。
【請求項３３】
コミュニケ通信サービスを複数のセルサイトを含むセルラー通信ネットワークを介して加入者に提供するコミュニケシステムであり、当該加入者はワイヤレス加入者デバイスを装備しており、当該複数のセルサイトの各々は複数のワイヤレス通信チャネルをセルサイトの送信アンテナの周囲の所定の空間量をカバーするセルにおいて提供する、コミュニケシステムであって、
複数の加入者の各々に関する加入者プロファイル、加入者のサービスプラン、及び加入者の許可のうちの少なくとも一つを含むデータを格納するコミュニケ位置レジスタ手段と、
該複数のセルの少なくとも一つについて、加入者を識別する加入者人口識別手段であって、当該加入者のワイヤレス加入者デバイスは、該セルラー通信ネットワークの１つのセルにおいてアクティブである手段と、
複数の加入者を識別するデータを該識別された加入者に関する該格納された加入者情報の関数として自動的に生成するコミュニティマネージャ手段であって、該複数の加入者は少なくとも一つの加入者コミュニティを形成する手段と、
コミュニケ通信サービスを該少なくとも一つの加入者コミュニティの一員である加入者に提供するために、該複数のセルサイトのうちの少なくとも一つを選択する時間的空間的コミュニケマネージャ手段と、
少なくとも一つの選択されたプログラムソースから送信用に該複数のセルのうちの該選択された少なくとも一つへの該コミュニケ通信サービスを構成する情報を、該複数のワイヤレス通信チャネルの一つを介して、該複数のセルサイトのうちの該選択された少なくとも一つによってサービスされる複数のワイヤレス加入者デバイスへルーティングする手段、
を備えるコミュニケシステム。
【請求項３４】
該コミュニティマネージャ手段は、
該複数のセルの各々において該コミュニケ通信サービスに興味を有する加入者を示すデータを生成するために、該識別された加入者を、選択されたプログラムソースからの該コミュニケ通信サービスを示すプログラムデータと相関させる視聴者決定手段、
を備える、請求項３３記載のコミュニケシステム。
【請求項３５】
該コミュニケ通信サービスの空間的時間的コンテンツを、該セルラー通信ネットワークのナロウキャスト領域又はセルに入る及び出て行く該識別された加入者の数、該セルラー通信ネットワークのナロウキャスト領域又はセルにおいてアクティブな加入者の数、該セルラー通信ネットワークのナロウキャスト領域又はセルにおいてアクティブな該識別された加入者によって要求されるサービス、該セルラー通信ネットワークにおいてアクティブな加入者の密度うちの少なくとも一つの関数として管理する人口判定手段、
を備える、請求項３４記載のコミュニケシステム。
【請求項３６】
該時間的空間的コミュニケマネージャ手段は、
コミュニケ通信サービスを該少なくとも一つの加入者コミュニティの一員である加入者に提供するために、該複数のセルのうちの少なくとも一つの選択を動的に修正する視聴者更新手段、
を備える、請求項３３記載のコミュニケシステム。
【請求項３７】
該時間的空間的コミュニケマネージャ手段は、
イベントの発生に応答して、該コミュニケ通信サービスの時間的及び空間的な範囲を識別するコミュニケ範囲判定手段と、
該識別された時間的及び空間的な範囲を該複数のセルのセットに変換する到達範囲判定手段、
を備える、請求項３３記載のコミュニケシステム。
【請求項３８】
該複数のセルのうちの該選択された少なくとも一つに存在する該識別された加入者の一部の該複数のワイヤレス加入者デバイスの各々が、該情報を該複数のワイヤレス通信チャネルのうちの該一つを介して受信することを可能にする加入者許可手段、
を更に備える、請求項３３記載のコミュニケシステム。
【請求項３９】
該時間的空間的コミュニケマネージャ手段は、
該コンテンツドメインにおいてナロウキャストの時間的及び空間的な範囲を作成するコミュニケ範囲判定手段、
を備える、請求項３３記載のコミュニケシステム。
【請求項４０】
該コミュニケ範囲判定手段は、
該複数のセルサイトのうちの少なくとも一つのプログラムストリームから引用される複数のコミュニケ用の複数のプログラムセグメントを定義するコンテンツスケジューリング手段、
を備える、請求項３９記載のコミュニケシステム。
【請求項４１】
該複数のセルサイトのうちの該選択された少なくとも一つによってサービスされる該複数のワイヤレス加入者デバイスにプログラムストリームを送信する配信手段と、
該プログラムストリームから引用される少なくとも一つのコミュニケを定義するために、該複数のセルサイトのうちの該選択された少なくとも一つによってサービスされる該複数のワイヤレス加入者デバイスに、プログラムストリーム構文解析制御信号を送信する制御信号手段、
を更に備える、請求項４０記載のコミュニケシステム。
【請求項４２】
プログラムストリームを複数のセルサイトに送信するリンク手段と、
該複数のセルサイトのうちの該少なくとも一つのプログラムストリームから引用される少なくとも一つのコミュニケを定義するために、プログラムストリーム構文解析制御信号を該複数のセルサイトのうちの該少なくとも一つに送信する制御手段、
を更に備える、請求項４１記載のコミュニケシステム。
【請求項４３】
該複数のセルサイトに位置し、該受信されたプログラムストリームと該プログラムストリーム構文解析制御信号から複数のコミュニケを生成する基地局手段と、
該複数のコミュニケを、該複数のセルサイトのうちの該選択された少なくとも一つによってサービスされる該複数のワイヤレス加入者デバイスに送信する送信手段、
を更に備える、請求項４２記載のコミュニケシステム。